(57)【要約】      （修正有）【課題】構成部品の管理を容易にすると共に、低コストでの提供を可能にし、大型のシーリングファンのような大きな回転モーメントを発生するような物品であっても、安定した状態でフランジに吊り下げ保持することが可能な吊り下げ保持具を提供する。【解決手段】吊り下げ保持具１００は、建屋に用いられている型鋼のフランジを厚さ方向に挟持するクランク板１２と挟持用ボルト１４からなる一対のフランジ挟持部１０と、一対のフランジ挟持部を取り付ける長孔形状に形成された取付孔２２が所要間隔をあけて複数穿設されていると共に、吊り下げ対象物を吊り下げ保持するための保持部３０が配設されたベース部２０と、一対のフランジ挟持部１０によりフランジを幅方向に締め付けするための雄ねじ体４２とダブルナット４４からなるフランジ締付体４０と、を有する。【選択図】図２
0003200899.tif 000002
【実用新案登録請求の範囲】
【請求項１】
建屋に用いられている型鋼のフランジを厚さ方向に挟持する一対のフランジ挟持部と、
前記一対のフランジ挟持部を取り付ける長孔形状に形成された取付孔が所要間隔をあけて複数穿設されていると共に、吊り下げ対象物を吊り下げ保持するための保持部が配設されたベース部と、
前記一対のフランジ挟持部により前記フランジを幅方向に締め付けするためのフランジ締付体と、
を有することを特徴とする吊り下げ保持具。
【請求項２】
前記一対のフランジ挟持部は、板厚方向に屈曲され、第１貫通孔が穿設された上段水平部と、中段水平部と、第２貫通孔が穿設された下段水平部と、前記上段水平部および前記中段水平部を連結する第１連結部と、前記中段水平部および前記下段水平部を連結し、水平貫通孔が穿設された第２連結部と、を有する一対のクランク板であって、
前記フランジ締付体は、前記水平貫通孔に挿通させる挿通体と、前記第２連結部と前記挿通体の交差部分に取り付けられ、前記一対のクランク板どうしを水平方向に接近させるための締結手段と、を有していることを特徴とする請求項１記載の吊り下げ保持具。
【請求項３】
前記一対のクランク板は己の字状に形成されていて、前記第１貫通孔に挿通されたボルトと前記中段水平部とにより前記フランジが板厚方向に挟持されていると共に、前記第１連結部により前記フランジが幅方向に締め付け可能になっていて、
前記挿通体は雄ねじ体であって、前記締結手段はナットであることを特徴とする請求項２記載の吊り下げ保持具。
【請求項４】
前記ベース部は、前記取付孔が穿設される平坦部と、該平坦部の両端部分を所要範囲にわたって前記型鋼のフランジ側に向けて起立させた起立部とを有するコの字状に形成されていることを特徴とする請求項１〜３のうちのいずれか一項に記載の吊り下げ保持具。
【考案の詳細な説明】
【技術分野】
【０００１】
本考案は吊り下げ保持具に関し、より詳細には、建屋の構造材として用いられている型鋼のフランジに装着して使用する吊り下げ保持具に関する。
【背景技術】
【０００２】
建屋内で使用されている型鋼のフランジに装着して用いられる吊り下げ保持具としては、特許文献１に開示されているような構成のものが知られている。
【先行技術文献】
【特許文献】
【０００３】
【特許文献１】実用新案登録第３１２５３７９号公報
【考案の概要】
【考案が解決しようとする課題】
【０００４】
特許文献１に開示されている吊り下げ保持具においては、建屋内の型鋼のフランジを厚さ方向にクランプした状態で装着された吊金具に、吊り下げ対象物を吊り下げて保持する構成が採用されている。この吊り下げ保持具は、フランジをクランプするための部材（以下、フランジのクランプ部材という）を複数種類有している構成であるため、吊り下げ保持具を構成する部材の管理が煩雑になるという課題や、吊り下げ保持具の製造コストが高騰してしまうという課題がある。
【０００５】
また、特許文献１における吊り下げ保持具は、フランジのクランプ部材に吊り下げ対象物を直接吊り下げ保持する構成が採用されている。このため、倉庫内等において使用される大型のシーリングファンのような大きな回転モーメントを生じる吊り下げ対象物をクランプ部材に吊り下げた場合、回転モーメントによりクランプ部材によるフランジのクランプ状態が緩んでしまうおそれがある。場合によっては、吊り下げ対象物がフランジのクランプ部材と共にフランジから脱落してしまうおそれがあるといった課題もある。
【０００６】
そこで本考案は、構成部品数を少なくすることで、吊り下げ保持具の構成部品の管理を容易にすると共に、低コストでの提供を可能にすることを第１の目的としている。また、吊り下げ対象物が大型のシーリングファンのような大きな回転モーメントを発生するような物品であっても、長期にわたって安定した状態でフランジに吊り下げ保持することが可能な吊り下げ保持具の提供を第２の目的としている。
【課題を解決するための手段】
【０００７】
上記課題を解決するために本考案者は鋭意研究を行った結果、以下の構成に想到した。
すなわち、建屋に用いられている型鋼のフランジを厚さ方向に挟持する一対のフランジ挟持部と、前記一対のフランジ挟持部を取り付ける長孔形状に形成された取付孔が所要間隔をあけて複数穿設されていると共に、吊り下げ対象物を吊り下げ保持するための保持部が配設されたベース部と、前記一対のフランジ挟持部により前記フランジを幅方向に締め付けするためのフランジ締付体と、を有することを特徴とする吊り下げ保持具である。
【０００８】
これにより、構成部品数を少なくしてシンプルで低コストでの製造を可能にすることができる。また、吊り下げ対象物がフランジのクランプ部材に直接保持されていないため、フランジのクランプ部材に直接回転モーメントが作用することがなくなる。これにより、吊り下げ対象物を長期にわたって安定した状態でフランジに吊り下げ保持することが可能になる。
【０００９】
また、前記一対のフランジ挟持部は、板厚方向に屈曲され、第１貫通孔が穿設された上段水平部と、中段水平部と、第２貫通孔が穿設された下段水平部と、前記上段水平部および前記中段水平部を連結する第１連結部と、前記中段水平部および前記下段水平部を連結し、水平貫通孔が穿設された第２連結部と、を有する一対のクランク板であって、前記フランジ締付体は、前記水平貫通孔に挿通させる挿通体と、前記第２連結部と前記挿通体の交差部分に取り付けられ、前記一対のクランク板どうしを水平方向に接近させるための締結手段と、を有していることが好ましい。
【００１０】
これにより、シンプルな構成で対向する一対のフランジのクランプ部材の離間距離を維持することができる。これにより、フランジのクランプ部材は、フランジの板厚方向におけるクランプ状態に加え、幅方向においてもフランジをクランプした状態にすることができるため、より長期にわたって良好な状態で吊り下げ対象物を吊り下げ保持することが可能になる。
【００１１】
また、前記一対のクランク板は己の字状に形成されていて、前記第１貫通孔に挿通されたボルトと前記中段水平部とにより前記フランジが板厚方向に挟持されていると共に、前記第１連結部により前記フランジが幅方向に締め付け可能になっていて、前記挿通体は雄ねじ体であって、前記締結手段はナットであることが好ましい。
【００１２】
これにより、クランク板の構成をさらにシンプルにすることができ、挿通体および締結手段を一般的な部材により構成することができるため、さらに低コストで吊り下げ保持具を提供することができる。
【００１３】
また、前記ベース部は、前記取付孔が穿設される平坦部と、該平坦部の両端部分を所要範囲にわたって前記型鋼のフランジ側に向けて起立させた起立部とを有するコの字状に形成されていることが好ましい。
【００１４】
これにより、吊り下げ対象物を装着するベース部の剛性を高めることができる。すなわち、大きな回転モーメントを生じる吊り下げ対象物や重量の大きい吊り下げ対象物であってもベース部が変形してしまうおそれがない。これによりベース部を小型軽量化することができる。
【考案の効果】
【００１５】
本考案にかかる構成を採用することにより、吊り下げ保持具の構成部品数を少なくすることができ、吊り下げ保持具の構成部品の管理を容易にすることができると共に、低コストでの提供が可能になる。また、吊り下げ対象物がフランジのクランプ部材に直接保持されていないため、フランジのクランプ部材に直接回転モーメントが作用することがない。このため、吊り下げ対象物を長期にわたって安定した状態でフランジに吊り下げ保持することが可能になる。
【図面の簡単な説明】
【００１６】
【図１】本実施形態に係る吊り下げ保持具の正面図である。
【図２】本実施形態に係る吊り下げ保持具の後方側斜視図である。
【図３】本実施形態に係る吊り下げ保持具の平面図である。
【考案を実施するための形態】
【００１７】
以下、本考案にかかる吊り下げ保持具の実施形態について図面に基づいて具体的に説明する。図１においてのみ、建屋の構造材として用いられている型鋼としてのＨ型鋼を示している。
【００１８】
図１〜図３に示すように、本実施形態にかかる吊り下げ保持具１００は、図１上左右一対のフランジ挟持部１０と、フランジ挟持部１０と保持部３０とが固定されるベース部２０と、吊り下げ対象物を吊り下げ保持するための保持部３０と、一対のフランジ挟持部１０の離間距離を維持するフランジ締付体４０と、を有している。フランジ挟持部１０および保持部３０は、ベース部２０にボルト締めすることにより取り付けられている。また、フランジ締付体４０は、フランジ挟持部１０に着脱可能に取り付けられている。
【００１９】
フランジ挟持部１０は、建屋のＨ型鋼のフランジＦをフランジＦの板厚方向に挟持させるようにしてフランジＦに取り付けられている。本実施形態におけるフランジ挟持部１０は、２枚の（左右一対の）クランク板１２と、挟持用ボルト１４と、固定ボルト１６とを有している。クランク板１２は、細長長方形形状の板体を板厚方向に折り曲げて形成されている。
【００２０】
より具体的には、所要間隔をあけて形成された上段水平部１２Ａ、中段水平部１２Ｂ、下段水平部１２Ｃと、上段水平部１２Ａと中段水平部１２Ｂとを連結する第１連結部１２Ｄと、中段水平部１２Ｂと下段水平部１２Ｃとを連結する第２連結部１２Ｅとを有し、コの字が逆向きに連結された「己」字形状に形成されている。また、上段水平部１２Ａと下段水平部１２Ｃにはそれぞれを板厚方向に貫通する第１貫通孔１２Ｆと第２貫通孔１２Ｇが穿設され、第２連結部１２Ｅにも板厚方向に貫通する水平貫通孔１２Ｈが穿設されている。本実施形態においては上記のようなクランク板１２を薄肉金属板により形成した。
【００２１】
挟持用ボルト１４は、クランク板１２の上段水平部１２Ａに穿設された第１貫通孔１２Ｆを貫通し、その先端部が中段水平部１２Ｂとの上面と共にフランジＦを板厚方向に挟持するものである。固定ボルト１６は、クランク板１２とベース部２０とを連結するためものである。
【００２２】
ベース部２０の長手方向に所要間隔をあけて穿設された長孔形状に形成された取付孔２２にはクランク板１２の下段水平部１２Ｃにおける固定ボルト１６の挿通孔である第２貫通孔１２Ｇが位置合わせされる。この後、第２貫通孔１２Ｇに固定ボルト１６を挿通させ、ベース部２０の平坦部２０Ａとクランク板１２とをそれぞれ板厚方向に貫通した状態で固定する。ここでクランク板１２の下段水平部１２Ｃにおける固定ボルト１６の挿通孔の内周面にタップ加工をしておけば、固定ボルト１６をベース部２０とクランク板１２とに螺着させることができ好都合である。
【００２３】
クランク板１２を取り付けるためのベース部２０の取付孔２２は長孔形状に形成されているので、クランク板１２の取り付け位置はフランジＦの幅寸法に合わせると共に微調整ができる点において好都合である。本実施形態においては、クランク板１２の下段水平部１２Ｃには２本の固定ボルト１６が用いられているので、ベース部２０にクランク板１２をぐらつかせることなく確実に固定させることができる。
【００２４】
また、ベース部２０は、取付孔２２が穿設された平坦部２０Ａと、ベース部２０の長手方向に伸びる対向端縁（平坦部２０Ａの両端部分）を所要範囲にわたって上面側（フランジＦ側）に向けて起立させた起立部２０Ｂとを有するコの字状に形成されている。このようないわゆる溝形鋼形状のベース部２０は小サイズで軽量なものであっても剛性が高く、ねじり等の外力による変形に対しても十分な耐久性を有している。本実施形態におけるベース部２０は、大型のシーリングファンのような大きな回転モーメントを生じる吊り下げ対象物であっても変形や振動等が発生しにくい点において好都合である。
【００２５】
ベース部２０（平坦部２０Ａ）の下面には、図示しない吊り下げ対象物を保持するための保持部３０が取り付けられている。本実施形態においては、吊り下げ対象物として大型のシーリングファンを想定しているので、保持部３０としてシーリングファン保持部が用いられている。シーリングファン保持部は公知であるため、本明細書におけるシーリングファン保持部の構成についての詳細な説明は省略する。
【００２６】
保持部３０はベース部２０の下面側にスペーサ３２を介してボルト３４により螺着されている。スペーサ３２は筒状に形成されていてボルト３４が挿通可能である。スペーサ３２の内周面をタップ加工しておき、ボルト３４を螺合させながら挿通させるようにしてもよい。ベース部２０の上面（フランジＦ側の面）には溶接等によりナット２４が取り付けられているので、作業者はベース部２０の下側からボルト３４を締結するだけで保持部３０の取り付けをすることができる。図１および図２からも明らかなように、保持部３０はベース部２０の下面の略中央部分に取り付けられている。
【００２７】
クランク板１２の第２連結部１２Ｅに形成された水平貫通孔１２Ｈには、２枚の（一対の）クランク板１２どうしの離間距離を接近させてフランジＦを幅方向に締め付けるためのフランジ締付体４０が取り付けられている。図１〜図３からも明らかなように、本実施形態におけるフランジ締付体４０は、２枚のクランク板１２の水平貫通孔１２Ｈにそれぞれ挿通される挿通体としての雄ねじ体４２と、それぞれのクランク板１２と雄ねじ体４２との外側交差部分に取り付けられた締結手段としてのダブルナット４４とを有している。
【００２８】
クランク板１２の水平貫通孔１２Ｈに雄ねじ体４２を挿通させ、クランク板１２と雄ねじ体４２との外側交差部分に配設したダブルナット４４で雄ねじ体４２を締結すると、ベース部２０に配設された取付孔２２が長孔形状に形成されているので、２枚のクランク板１２の離間距離が接近することになる。これにより、第１連結部１２Ｄの内壁面どうしがフランジＦを幅方向に締め付けるようにすることができる。
【００２９】
このようにして吊り下げ保持具１００は、フランジＦをフランジＦの板厚方向および幅方向の直交する２方向からクランプした状態（締付した状態）でフランジＦに取り付けられることになる。これにより、保持部３０に保持させた大型のシーリングファンが作動して大きな回転モーメントを生じたとしても、フランジＦを挟持している２枚のクランク板１２が位置ずれしてしまうことがなく、長期間にわたって安定した状態で大型のシーリングファンを保持することができるのである。
【００３０】
以上に本実施形態にかかる吊り下げ保持具１００について、実施形態に基づいて説明したが、本考案にかかる吊り下げ保持具１００は以上に示した実施形態に限定されるものではない。例えば本実施形態においては、建屋の型鋼としてＨ型鋼を用いた形態に基づいて説明をしたが、Ｉ型鋼のフランジＦに本考案品を取り付けすることも可能である。
【００３１】
また、本実施形態においては、吊り下げ対象物として大型のシーリングファンを採用した形態について説明をしたが、吊り下げ対象物は大型のシーリングファンに限定されるものではなく、照明機器や音響機器等を吊り下げすることも可能である。
【００３２】
さらに、フランジ挟持部１０として略「己」の字状に形成された２枚のクランク板１２と挟持用ボルト１４とを用いた形態について説明しているが、この形態に限定されるものではない。クランク板１２は略コ字状に形成されたもの等を採用することもできる。この場合、雄ねじ体４２の上面にフランジＦを載置した状態にすればよい。また、フランジ挟持部１０がフランジＦを板厚方向に挟持するための構成もクランク板１２とこれを板厚方向に貫通する挟持用ボルト１４との構成に限定されるものではなく、板バネ形状に形成したクリップ部にフランジＦを挟み込ませて挟持させる形態を採用することもできる。
【００３３】
また、本実施形態においては、ベース部２０の上面（フランジＦ側の面）には溶接等によりナット２４を取り付けた形態について説明しているが、ナット２４の構成に代えて、ベース部２０の上面にタップ加工部が配設された形態を採用することもできる。要は、保持部３０をベース部２０に固定得るためのボルト３４をベース部２０に螺着させることができればよいのである。
さらにまた、ベース部２０にベース部２０とは別体の保持部３０を取り付け固定する形態について説明しているが、ベース部２０に予め保持部３０が配設された（ベース部２０と保持部３０とが一体化された）形態を採用することもできる。
【００３４】
また、フランジ締付体４０は挿通体としての雄ねじ体４２と締結手段としてのダブルナット４４とを有する形態例について説明しているが、この形態例に限定されるものではない。たとえば、雄ねじ体４２に代えて軸体を採用し、ダブルナット４４に代えてストッパ体を採用し、これら軸体およびストッパ体と、を本実施形態と同様にして用いることにより２枚のフランジ挟持部１０でフランジＦを幅方向に締め付けるようにしてもよい。このようなフランジ締付体４０の構成によれば、吊り下げ対象物が大型のシーリングファンのような大きな回転モーメントや振動等を発生する吊り下げ対象物には向かないものの、照明機器や音響機器等を吊り下げする際においては問題なく使用することができる。
【００３５】
そして、以上の実施形態と各種変形例の形態を適宜組み合わせた形態を採用することも可能である。
【符号の説明】
【００３６】
１０：フランジ挟持部，
１２：クランク板，
１２Ａ：上段水平部，１２Ｂ：中段水平部，１２Ｃ：下段水平部，
１２Ｄ：第１連結部，１２Ｅ：第２連結部，
１２Ｆ：第１貫通孔，１２Ｇ：第２貫通孔，１２Ｈ：水平貫通孔，
１４：挟持用ボルト，１６：固定ボルト，
２０：ベース部，２０Ａ：平坦部，２０Ｂ：起立部，２２：取付孔，２４：ナット，
３０：保持部，３２：スペーサ，３４：ボルト，
４０：フランジ締付体，４２：雄ねじ体，４４：ダブルナット，
１００：吊り下げ保持具，
Ｆ：フランジ
【図１】
0003200899.tif 000003
【図２】
0003200899.tif 000004
【図３】
0003200899.tif 000005